(57)【要約】【課題】シュリンク包装に使用でき包装された製品の機能を向上させることができるラミネートシュリンクフィルムおよびその製造方法を提供する。【解決手段】  熱収縮性を有する一対のシュリンクフィルム１ａ，１ｂと、一対のシュリンクフィルム１ａ，１ｂ間に設けられた接着剤を含有する連結層ＣＬと、を備えたラミネートシュリンクフィルム１を製造する方法であって、一方のシュリンクフィルム１ｂの表面に溶媒を含有する接着剤を塗布して接着剤層３を形成し、接着剤層３が形成された一方のシュリンクフィルム１ｂを、加熱温度を順次上昇させながら加熱し、加熱後の一方のシュリンクフィルム１ｂと、他方のシュリンクフィルム１ａとを貼り合わせる。順次温度を上昇させるようにすれば、接着剤層３の溶媒を適切かつ確実に揮発させて除去できるので、製造されたラミネートシュリンクフィルム１の品質を向上でき、しかも、不良品の発生を抑制することができる。【選択図】図１
2014121822.tif 000002
【特許請求の範囲】
【請求項１】
熱収縮性を有する一対のシュリンクフィルムと、該一対のシュリンクフィルム間に設けられた接着剤を含有する連結層と、を備えたラミネートシュリンクフィルムを製造する方法であって、
前記一方のシュリンクフィルムの表面に溶媒を含有する接着剤を塗布して接着剤層を形成し、
該接着剤層が形成された前記一方のシュリンクフィルムを、加熱温度を順次上昇させながら加熱し、
該加熱後の一方のシュリンクフィルムと、他方のシュリンクフィルムを貼り合わせる
ことを特徴とするラミネートシュリンクフィルムの製造方法。
【請求項２】
前記一方のシュリンクフィルムの素材がポリプロピレンであり、前記接着剤がウレタン系接着剤であり、
前記一方のシュリンクフィルムを加熱する加熱温度を、４０℃から５０℃まで上昇させる
ことを特徴とする請求項１記載のラミネートシュリンクフィルムの製造方法。
【請求項３】
複数の乾燥室を通して乾燥する場合において、各室の温度を段階的に上昇させる
ことを特徴とする請求項１または２記載のラミネートシュリンクフィルムの製造方法。
【請求項４】
請求項１、２または３記載の製造方法によって製造された積層フィルムである
ことを特徴とするラミネートシュリンクフィルム。
【発明の詳細な説明】
【技術分野】
【０００１】
本発明は、ラミネートシュリンクフィルムおよびその製造方法に関する。さらに詳しくは、包装フィルムを包装物品に密着させた状態で包装するために使用されるラミネートシュリンクフィルムおよびその製造方法に関する。
【背景技術】
【０００２】
食品、菓子、書籍、化粧品、医薬品などの商品を販売する場合、商品の汚れ等を防止するために、プラスチックフィルム等によって包装した状態で商品が提供販売される。かかる包装には種々の包装形態がある、製造ラインで自動包装する場合、例えば、シュリンク包装（熱収縮包装）が挙げられる。
【０００３】
とくに、シュリンク包装（熱収縮包装）は、（１）被包装物品の形状などに係わらずフィルムを被包装物品に密着させた包装が可能である、（２）複数の物品でも一纏めに固定保持して包装することができる、（３）包装の自動化が容易である、等のメリットを有している。このため、シュリンク包装は種々の被包装物品の包装への採用が進んでいる。
【０００４】
ところで、シュリンク包装は単層フィルムによって包装されているが、シュリンク包装された商品でも、見た目の向上や宣伝効果を得るために、包装するフィルム自体にさまざま図柄や文字の印刷が施されている。この印刷は、フィルムが熱収縮した際の外観を考慮してデザインされている。
また、内部の被包装物品が光にあたって劣化することを防止するために、遮光性インキなどが印刷される場合がある。
【０００５】
一方、シュリンク包装する場合、被包装物品をフィルムで密封するために、フィルムが熱融着される。熱融着は、通常、溶断シールや合掌シールなどの公知のシール機によってフィルムの切断と同時に実施されるのであるが、印刷をフィルムで被包装物品を包装した際に外側に位置する面に行った場合、シールの際に印刷インキが溶けてシール機に付着して、シール機を汚してしまう可能性がある。逆に、印刷をフィルムで被包装物品を包装した際に内側に位置する面に行った場合、印刷インキが障害となってフィルム同士の熱融着が阻害される。
【０００６】
このため、シュリンク包装に使用されるフィルムでは、熱融着を行う部分に印刷インキがない状態となるように印刷デザインが調整される。すると、印刷デザインが制限される上、熱融着部分に印刷がないことから、商品の見栄えが良くないという問題がある。
また、フィルムに遮光性を持たせる場合でも、熱融着部分には印刷ができないので、十分な遮光性を付与できないという問題がある。
【０００７】
かかる問題を防ぐ方法として、印刷インキが表面に露出しないようにすることが考えられる。例えば、シュリンクラベルなどでは、シュリンクフィルムと熱収縮シートを重ねて貼りあわせ積層シートとして、シュリンクフィルムの裏面（つまり熱収縮シート側の面）に印刷する技術が開発されている（例えば特許文献１〜５）。
【先行技術文献】
【特許文献】
【０００８】
【特許文献１】実開昭６０−６２９３６号公報
【特許文献２】実開昭６３−４３７２２号公報
【特許文献３】特開平３−２１９９５２号公報
【特許文献４】特開平４−４１２３３号公報
【特許文献５】特開平８−３００５４７号公報
【発明の概要】
【発明が解決しようとする課題】
【０００９】
しかるに、特許文献１〜５の技術は、あくまでもシュリンクラベルに使用されるシートに関する技術であり、その厚さが非常に厚い。例えば、熱収縮シートが発砲ウレタンシートの場合であれば、その厚さは数百μｍ以上になる。かかる厚さのシートでは、熱融着によってシールするシュリンク包装には使用できない。
【００１０】
現状では、シュリンク包装では単層フィルムしか採用されておらず、シュリンク包装に使用可能な厚さに形成された積層フィルムにおいて、熱融着される部分まで印刷されたフィルムは存在しておらず、かかるフィルムを製造する方法も開発されていない。
【００１１】
本発明は上記事情に鑑み、シュリンク包装に使用でき包装された製品の機能を向上させることができるラミネートシュリンクフィルムおよびその製造方法を提供することを目的とする。
【課題を解決するための手段】
【００１２】
第１発明のラミネートシュリンクフィルムの製造方法は、熱収縮性を有する一対のシュリンクフィルムと、該一対のシュリンクフィルム間に設けられた接着剤を含有する連結層と、を備えたラミネートシュリンクフィルムを製造する方法であって、前記一方のシュリンクフィルムの表面に溶媒を含有する接着剤を塗布して接着剤層を形成し、該接着剤層が形成された前記一方のシュリンクフィルムを、加熱温度を順次上昇させながら加熱し、該加熱後の一方のシュリンクフィルムと、他方のシュリンクフィルムを貼り合わせることを特徴とする。
第２発明のラミネートシュリンクフィルムの製造方法は、第１発明において、前記一方のシュリンクフィルムの素材がポリプロピレンであり、前記一方のシュリンクフィルムを加熱する加熱温度を、４０℃から５０℃まで上昇させることを特徴とする。
第３発明のラミネートシュリンクフィルムの製造方法は、第１または第２発明において、複数の乾燥室を通して乾燥する場合において、各室の温度を段階的に上昇させることを特徴とする。
第４発明のラミネートシュリンクフィルムは、第１、第２または第３記載の製造方法によって製造された積層フィルムであることを特徴とする。
【発明の効果】
【００１３】
第１発明によれば、順次温度を上昇させるようにすれば、接着剤層の溶媒を適切かつ確実に揮発させて除去できるので、製造されたラミネートシュリンクフィルムの品質を向上でき、しかも、不良品の発生を抑制することができる。
第２発明によれば、シュリンクフィルムの素材や接着剤に適した温度で乾燥させるので、製造されたラミネートシュリンクフィルムの品質を向上でき、しかも、不良品の発生を抑制することができる。
第３発明によれば、段階的に温度を上昇させるので、接着剤層の溶媒を適切かつ確実に揮発させて除去できる。したがって、製造されたラミネートシュリンクフィルムの品質を向上でき、しかも、不良品の発生を抑制することができる。
第４発明によれば、適切な熱収縮性を有し、しかも、包装した際の外観を向上させることができる。
【図面の簡単な説明】
【００１４】
【図１】本実施形態のラミネートシュリンクフィルム１の製造方法を実施する製造設備の概略説明図である。
【図２】本実施形態のラミネートシュリンクフィルム１の概略断面説明図である。
【図３】本実施形態のラミネートシュリンクフィルム１を使用して包装体ＭＰを製造する作業の概略説明図である。
【発明を実施するための形態】
【００１５】
本発明のラミネートシュリンクフィルムの製造方法は、被包装物品をシュリンク包装するために使用されるフィルムの製造方法であって、シュリンク包装された商品の外観や、遮光性等の機能を向上させることができるラミネートシュリンクフィルムを製造することができることに特徴を有している。
【００１６】
本発明のラミネートシュリンクフィルムの製造方法によって製造されたラミネートシュリンクフィルム（以下、単に本発明のラミネートシュリンクフィルムという）によってシュリンク包装される被包装物品はとくに限定されない。例えば、食品、菓子、書籍、化粧品、医薬品等を挙げることができるが、これらに限定されるものではない。
【００１７】
なお、本発明のラミネートシュリンクフィルムは、被包装物品と比べて非常に薄く（１９．５〜３５μｍ程度）、また、ラミネートシュリンクフィルムを構成するフィルムや各層も非常に薄いので、図面に記載されているフィルムと被包装物品等の相対的な寸法や、ラミネートシュリンクフィルム断面のフィルムの厚さや各層の厚さ等は、実際の相対的な寸法とは必ずしも一致していない。
【００１８】
また、本発明のラミネートシュリンクフィルムは、後述するように、少なくとも一対のシュリンクフィルムを有するものであるが、ラミネートシュリンクフィルムを構成するシュリンクフィルムは２枚に限定されない。例えば、シュリンクフィルムを３枚以上積層したものも本発明のラミネートシュリンクフィルムに含まれる。なお、シュリンクフィルムを３枚以上積層した場合には、全てのシュリンクフィルム間に印刷層と接着剤層が設けられている必要はなく、接着剤層だけが設けられている場合があってもよい。
【００１９】
（ラミネートシュリンクフィルム）
まず、本発明のラミネートシュリンクフィルムの製造方法を説明する前に、この製造方法によって製造されるラミネートシュリンクフィルム１（以下、本実施形態のラミネートシュリンクフィルム１という）を説明する。
【００２０】
図２に示すように、本実施形態のラミネートシュリンクフィルム１は、一対のシュリンクフィルム１ａ，１ｂと、この一対のシュリンクフィルム１ａ，１ｂの間に形成された印刷層２と接着剤層３とからなる連結層ＣＬを有している。
そして、本実施形態のラミネートシュリンクフィルム１は、一対のシュリンクフィルム１ａ，１ｂとしして厚さが９．５〜１５μｍ程度のものを使用している。
すると、本実施形態のラミネートシュリンクフィルム１の厚さを、せいぜい１９．５〜３５μｍ程度、つまり、従来のシュリンク包装に使用されている単層フィルムと同等程度の厚さとすることができる。すると、従来の単層フィルムと同様に、オーバーラップ包装にも使用できる。
しかも、シュリンクフィルムが２枚重なっているので、従来のシュリンク包装のフィルムよりも強度が大きくなるため、オーバーラップ包装をした場合に破れにくくなるという利点も得られる。
【００２１】
また、本実施形態のラミネートシュリンクフィルム１では、印刷層２が一対のシュリンクフィルム１ａ，１ｂによって挟まれている。
【００２２】
このため、本実施形態のラミネートシュリンクフィルム１の場合、上述したような包装体ＭＰの製造工程において、フィルム同士を重ねて溶断や熱融着するときに、その位置に印刷されている部分、つまり印刷層２が存在しても、印刷層２の印刷インキ等の材料が、直接、シール機に接触しない。つまり、シール機に印刷インキ等の材料が付着しないので、熱融着される部分に印刷があっても、シール機などが汚れることがないのである。
【００２３】
さらに、熱融着される部分に印刷があると、印刷インキ等が熱融着を阻害する可能性がある。
しかし、本実施形態のラミネートシュリンクフィルム１では、印刷層２の材料に塩素化ポリプロピレン樹脂を含有させたことによって、熱融着される部分に印刷層２が存在しても、しっかりと熱融着をさせることができる。
すると、シュリンク包装、例えば、オーバーラップ包装の際に、熱融着する部分を印刷のない領域とする必要がないので、印刷層のデザインの自由度が増し、全面印刷することも可能となる。そして、オーバーラップ包装等された商品の外観や、遮光性等の機能を向上させることができる。
【００２４】
つぎに、本実施形態のラミネートシュリンクフィルム１の各部材を説明する。
なお、以下では、一対のシュリンクフィルム１ａ，１ｂのうち、図３に示す包装体ＭＰの外側にシュリンクフィルム１ａが配置され、包装体ＭＰの内側、つまり、被包装物品Ｍに接触する側にシュリンクフィルム１ｂが配置される場合を説明する。
【００２５】
（シュリンクフィルム）
まず、一対のシュリンクフィルム１ａ，１ｂは、熱収縮性を有しかつフィルム同士を重ねた状態で熱融着することができる樹脂で形成されたものである。つまり、一対のシュリンクフィルム１ａ，１ｂは、シュリンクフィルム１ａ同士を重ねた状態、シュリンクフィルム１ｂ同士を重ねた状態、そして、シュリンクフィルム１ａとシュリンクフィルム１ｂとを重ねた状態、のどの状態でも熱融着することができるものである。
【００２６】
なお、一対のシュリンクフィルム１ａ，１ｂは、上記のごとき性質を有していればよく、とくに限定されない。例えば、ポリプロピレン（ＰＰ）やポリエチレンテレフタレート（ＰＥＴ）などの樹脂製のフィルムを一軸もしくは二軸延伸して得られるフィルムを挙げることができる。
【００２７】
また、一対のシュリンクフィルム１ａ，１ｂの厚さはとくに限定されないが、例えば、９．５〜１５μｍ程度のものが好ましい。一対のシュリンクフィルム１ａ，１ｂがかかる厚さに形成されていれば、印刷層２と接着剤層３とを合わせても、本実施形態のラミネートシュリンクフィルム１の厚さはせいぜい１９．５〜３５μｍ程度となる。すると、従来のシュリンク包装に使用されている単層フィルムと同等程度の厚さとなるので、単層フィルムと同様に、オーバーラップ包装にも使用できる。また、シュリンクフィルムが２枚重なっているので、従来のシュリンク包装のフィルムよりも強度を強くでき包装が破れにくくなるという利点も得られる。
【００２８】
さらに、一対のシュリンクフィルム１ａ，１ｂは、同じ樹脂かつ同じ厚さで形成されていれば、熱収縮させた際の収縮割合をほぼ同等とできる。また、カールが発生しないので好ましい。
【００２９】
（連結層ＣＬ）
連結層ＣＬは、上述したように、印刷層２と接着剤層３とから構成されているが、印刷層２は設けなくてもよい。
印刷層２を設ける場合には、顔料と溶媒、バインダを含有する印刷インキをグラビア印刷やフレキソ印刷などの方法でシュリンクフィルム１ａの裏面に塗布して形成することができる。
【００３０】
（接着剤層３）
接着剤層３は、シュリンクフィルム１ｂの裏面に形成された層である。この接着剤層３は、例えば、ウレタン系接着剤や塩素化ポリオレフィン系接着剤（例えば、塩素化ポリプロピレン樹脂など）などの接着剤をグラビアコートなどの方法でシュリンクフィルム１ｂの裏面に塗布して形成されている。
【００３１】
そして、接着剤層３は、その塗布量が１〜４ｇ／ｍ２となるように塗布されている。なお、本明細書における塗布量とは、接着剤中の固形分の量を示す。
【００３２】
また、シュリンクフィルム１ｂには、接着剤との接着性を向上させるための表面処理を行ってから接着剤を塗布することが好ましい。この表面処理は、例えば、コロナ放電処理やプラズマ処理などを挙げることができ、接着剤の素材とシュリンクフィルム１ｂの樹脂に合わせて適切な処理を行えばよい。例えば、シュリンクフィルム１ｂがポリプロピレンフィルムの場合であって、接着剤層３をウレタン系接着剤によって形成する場合には、シュリンクフィルム１ｂと接着剤との接着性を向上させるために、接着剤を塗布する前に、シュリンクフィルム１ｂの表面にコロナ放電処理を行うことが好ましい。
【００３３】
（本実施形態のラミネートシュリンクフィルム１の製造方法）
つぎに、本実施形態のラミネートシュリンクフィルム１の製造法を説明する。
図１おいて、符号ＭＲ１、ＭＲ２は、それぞれ上述したシュリンクフィルム１ａおよびシュリンクフィルム１ｂが巻き取られた原反ロールである。また、符号ＳＲは、製造されたラミネートシュリンクフィルム１が巻き取られた製品ロールである。
なお、シュリンクフィルム１ａが印刷層２を有する場合には、原反ロールＭＲ１に巻き取られているシュリンクフィルム１ａには事前に印刷層２が形成される。
【００３４】
まず、シュリンクフィルム１ａは、原反ロールＭＲ１から繰り出され、ラミネート装置ＲＰに供給される。
【００３５】
一方、シュリンクフィルム１ｂは、原反ロールＭＲ２から繰り出されると、表面処理装置ＣＰによってその裏面（図１では上面）に表面処理が行われる。
【００３６】
表面処理装置ＣＰによって表面処理されたシュリンクフィルム１ｂは、接着剤塗布装置ＧＲに供給されて、接着剤が裏面、つまり、表面処理された面に塗布され、接着剤層３が形成される。
なお、接着剤は、シュリンクフィルム１ｂに均一に塗布するために、溶媒に溶かした状態で塗布される。
【００３７】
接着剤層３が形成されたシュリンクフィルム１ｂは、乾燥装置ＤＰに供給される。この乾燥装置ＤＰでは、シュリンクフィルム１ｂが加熱されてシュリンクフィルム１ｂに形成された接着剤層３に含有されている溶媒が除去される。
なお、乾燥装置ＤＰにおいてシュリンクフィルム１ｂを加熱する温度は、シュリンクフィルム１ｂは収縮しないが溶媒は揮発させることができる温度に調整される。例えば、シュリンクフィルム１ｂの素材がポリプロピレンフィルムであり、乾燥装置ＤＰ内を３５℃以上となるようにして、シュリンクフィルム１ｂが乾燥装置ＤＰ内を５秒以上かけて通過するようにする。すると、接着剤層３に溶媒が残留しないようにすることができる。
【００３８】
そして、乾燥装置ＤＰを通過したシュリンクフィルム１ｂは、ラミネート装置ＲＰに供給されて、シュリンクフィルム１ａと積層されて接着される。具体的には、ラミネート装置ＲＰでは、シュリンクフィルム１ｂの接着剤層３が形成された面と、シュリンクフィルム１ａの印刷層２が形成された面と、を合わせた状態で加圧される。すると、接着剤層３の接着剤によって両シートが接着されて、ラミネートシュリンクフィルム１が形成される。
【００３９】
（乾燥について）
なお、乾燥装置ＤＰは、一定の温度の空間内にシュリンクフィルム１ｂを通過させてもよい。
【００４０】
また、乾燥装置ＤＰ内で温度勾配を形成させてその空間内にシュリンクフィルム１ｂを通過させてもよい。具体的には、乾燥装置ＤＰの入口（図１では右端）から出口（図１では左端）に向かって徐々に温度を上昇させるようにしてもよい。この場合、乾燥装置ＤＰ内を通過する間に、接着剤層３の溶媒を適切かつ確実に揮発させて除去できる。
【００４１】
また、乾燥装置ＤＰ内を複数の室に分割して、各室で温度を変化させてもよい。例えば、乾燥装置ＤＰ内を３つの室に分割して、各室内の温度は一定にするが、上流側の室から段階的に温度を上昇させるようにしてもよい。この場合も、乾燥装置ＤＰ内を通過する間に、接着剤層３の溶媒を適切かつ確実に揮発させて除去できる。
【００４２】
例えば、シュリンクフィルム１ｂの素材がポリプロピレンフィルムであり、接着剤がウレタン系接着剤、そして、接着剤層３の塗布量を３ｇ／ｍ２とする。そして、乾燥装置ＤＰの３つの室を、シュリンクフィルム１ｂが供給される側（図１では右側）から、第一室ＤＰ１、第二室ＤＰ２、第三室ＤＰ３とする。そして、第一室を４０〜４５℃、第二室を４０〜５０℃、第三室を４５〜５０℃、として、下流側の室の温度が上流側の室と同じまたは高い温度とすれば、接着剤層３の溶媒を適切かつ確実に揮発させて除去できる。
【００４３】
また、上記温度とした場合でも、加熱時間が長すぎたり短すぎたりすれば、接着剤層３の溶媒を適切な状態とすることができなくなる。加熱が不十分で溶媒が接着剤層３に残留した場合には、製品ロールＳＲにラミネートシュリンクフィルム１を巻き取った後、気泡が発生してラミネートシュリンクフィルム１の強度が低下する可能性がある。逆に加熱しすぎた場合には、乾燥中にシュリンクフィルムが収縮するという問題が生じる。したがって、接着剤層３の状態を適切な状態とすることができるように、加熱時間を調整する必要がある。
【００４４】
例えば、シュリンクフィルム１ｂの素材がポリプロピレンフィルムであり、接着剤がウレタン系接着剤、そして、接着剤層３の塗布量が３ｇ／ｍ２とする。すると、各室における加熱時間をそれぞれ、３〜５秒（第一室）、３〜５秒（第二室）、３〜５秒（第三室）とすれば、乾燥装置ＤＰを通過した接着剤層３を適切な状態とすることができる。
【実施例】
【００４５】
本発明のラミネートシュリンクフィルムの製造方法によって製造されたラミネートシュリンクフィルムによってオーバーラップ包装が可能であるか否かを、オーバーラップ包装したラミネートシュリンクフィルムを加熱収縮させて確認した。
【００４６】
実験に使用したラミネートシュリンクフィルムは、シュリンクフィルムがポリプロピレンフィルム（厚さ１５μｍ）であり、接着剤（ウレタン系接着剤、塗布量３ｇ／ｍ２）を使用して張り合わせたものであり、図１に示すような設備で製造されたものである。
【００４７】
また、接着剤が塗布されたシュリンクフィルムは、図１に示すような３室を有する乾燥装置において乾燥したものである。
乾燥条件は、実施例１では、第一室４０℃、第二室４５℃、第三室４５℃である。また、実施例２では、第一室４０℃、第二室４５℃、第三室４５℃である。さらに、実施例３では、第一室４０℃、第二室４５℃、第三室５０℃である。
そして、各室での乾燥時間は、実施例１では、第一室５秒、第二室５秒、第三室５秒であり、実施例２では、第一室３．３秒、第二室３．３秒、第三室３．３秒であり、実施例３では、第一室３．３秒、第二室３．３秒、第三室３．３秒である。
【００４８】
なお、比較例１では、第一室５０℃、第二室５０℃、第三室５０℃として、各室での乾燥時間を、第一室３．３秒、第二室３．３秒、第三室３．３秒とした。
また、比較例２では、第一室５０℃、第二室５０℃、第三室５０℃として、各室での乾燥時間を、第一室２．５秒、第二室２．５秒、第三室２．５秒とした。
【００４９】
上記のごとき条件で製造したフィルムは、実施例１〜３の場合には、乾燥の際やラミネートする際にしわが発生しなかった、また、熱収縮させた際にも、剥離などが生じず、フィルムの透明性も維持された。
一方、比較例１の場合には、ラミネートする際にしわが発生し、比較例２の場合には、乾燥の際にしわが発生した。
【００５０】
以上のごとく、本発明のラミネートシュリンクフィルムの製造方法によれば、一対のシュリンクフィルムをしわなどを発生させることなく製造することができることが確認された。しかも、製造されたラミネートシュリンクフィルムは、オーバーラップ包装が可能であり、加熱収縮させてもフィルムの損傷や外観の悪化などが生じないことが確認された。
【産業上の利用可能性】
【００５１】
本発明のラミネートシュリンクフィルムの製造方法は、食品、菓子、書籍、薬などの被包装物品をオーバーラップ包装するフィルムの製造に適している。
【符号の説明】
【００５２】
１              ラミネートシュリンクフィルム
１ａ            シュリンクフィルム
１ｂ            シュリンクフィルム
２              印刷層
３              接着剤層
ＣＬ              連結層
【図１】
2014121822.tif 000003
【図２】
2014121822.tif 000004
【図３】
2014121822.tif 000005